(57)【要約】【課題】ユーザーが、シートホルダーに入れた冊子体を、読み取り面を第２の読み取り手段に向けてスキャナーにセットしてしまう場合がある。【解決手段】スキャナー１は、給送手段１３と、給送手段１３の下流に設けられる搬送手段１６と、搬送手段１６の下流に設けられ、搬送経路Ｒに対する位置が固定される第１読取手段５ａと、搬送経路Ｒを挟んで第１読取手段５ａと対向して設けられ、第１読取手段５ａに対して進退する方向に変位可能に構成される第２読取手段５ｂと、冊子体Ｇが挟まれたシートホルダー４０の表裏を特定する為にシートホルダー４０に設けられた特定部を検出する検出手段としての第２媒体検出部２７と、第２媒体検出部２７の検出情報に基づいて、シートホルダー４０における読み取り面が第１読取手段５ａと対向しているか否かを判定し、その判定に基づいた処理を行う表裏判定処理モードを実行する制御手段１１とを備える。【選択図】図４
2020158263.tif 000002
【特許請求の範囲】
【請求項１】
媒体が載置される媒体載置部から媒体が搬送される搬送経路に媒体を送り出す給送手段と、
前記給送手段に対して媒体搬送方向の下流に設けられ、媒体を搬送する搬送手段と、
前記搬送手段に対して前記媒体搬送方向の下流に設けられ、前記搬送経路に対する位置が固定されて前記搬送経路を搬送される媒体を読み取る第１読取手段と、
前記搬送経路を挟んで前記第１読取手段と対向して設けられ、前記第１読取手段に対して進退する方向に変位可能に構成されて前記搬送経路を搬送される媒体を読み取る第２読取手段と、
冊子体が挟まれたシートホルダーの表裏を特定する為に前記シートホルダーに設けられた特定部を検出する検出手段と、
前記検出手段の検出情報に基づいて、前記シートホルダーにおける読み取り面が前記第１読取手段と対向しているか否かを判定し、前記判定に基づいた処理を行う表裏判定処理モードを実行する制御手段と、を備える、
ことを特徴とする画像読取装置。
【請求項２】
請求項１に記載の画像読取装置において、前記表裏判定処理モードにおいて前記制御手段は、前記読み取り面が前記第１読取手段と対向している場合に前記第１読取手段による読み取りを実行し、前記読み取り面が前記第１読取手段と対向していない場合に異常処理を行う、
ことを特徴とする画像読取装置。
【請求項３】
請求項１または請求項２に記載の画像読取装置において、
前記制御手段は、
媒体を前記給送手段によって前記搬送経路に送り出した後、前記搬送手段による媒体の搬送が開始したら前記給送手段の駆動を停止する第１搬送モード（分離モード）と、
媒体を前記給送手段によって前記搬送経路に送り出した後、前記搬送手段による媒体の搬送の開始後に前記給送手段の駆動を所定期間継続する第２搬送モード（非分離モード）と、を備え、
前記第２搬送モードを実行する場合に前記表裏判定処理モードを行う、
ことを特徴とする画像読取装置。
【請求項４】
請求項３に記載の画像読取装置において、
前記搬送手段は、駆動源によって駆動される駆動ローラーと、前記駆動ローラーの回転に従動回転する従動ローラーと、前記従動ローラーが前記駆動ローラーに向けて押圧される荷重である搬送時荷重を調整する搬送時荷重調整手段と、を備え、
前記搬送時荷重調整手段を制御する前記制御手段は、前記表裏判定処理モードにおいて、前記読み取り面が前記第１読取手段と対向していると判定された場合に、前記搬送時荷重を、前記第１搬送モードを実行する場合における前記搬送時荷重よりも小さくする、
ことを特徴とする画像読取装置。
【請求項５】
請求項４に記載の画像読取装置において、
前記制御手段は、前記搬送時荷重を、前記第１搬送モードを実行する場合における前記搬送時荷重よりも小さくした後、所定時間後に大きくする、
ことを特徴とする画像読取装置。
【請求項６】
請求項３から請求項５のいずれか一項に記載の画像読取装置において、
前記給送手段は、
媒体を給送する給送ローラーと、
前記給送ローラーと接触して前記給送ローラーとの間で媒体を分離する分離ローラーと、
前記分離ローラーが前記給送ローラーに向けて押圧される荷重である分離荷重を調整する分離荷重調整手段と、を備え、
前記分離荷重調整手段を制御する前記制御手段は、前記表裏判定処理モードにおいて、前記読み取り面が前記第１読取手段と対向していると判定された場合に、前記分離荷重を、前記第１搬送モードを実行する場合における前記分離荷重よりも大きくする、
ことを特徴とする画像読取装置。
【請求項７】
請求項１から請求項６のいずれか一項に記載の画像読取装置において、
前記第２読取手段を前記第１読取手段にして進退する方向に変位させる読取部変位手段を備え、
前記読取部変位手段を制御する前記制御手段は、前記表裏判定処理モードにおいて、前記読み取り面が前記第１読取手段と対向していると判定された場合に、前記第２読取手段を前記第１読取手段から離れる方向に変位させる、
ことを特徴とする画像読取装置。
【請求項８】
請求項１から請求項７のいずれか一項に記載の画像読取装置において、
前記検出手段は、前記媒体搬送方向において、前記給送手段と前記搬送手段との間であって、前記媒体搬送方向と交差する幅方向の位置が異なる第１検出部と第２検出部とを備え、前記特定部として前記シートホルダーの前記幅方向の中央に対して非対称に形成された先端部を、前記第１検出部と前記第２検出部とで検出する、
ことを特徴とする画像読取装置。
【請求項９】
請求項１から請求項７のいずれか一項に記載の画像読取装置において、
前記検出手段は、前記特定部として前記シートホルダーに設けられたマークを検出する、
ことを特徴とする画像読取装置。
【発明の詳細な説明】
【技術分野】
【０００１】
本発明は、原稿を読み取る画像読取装置に関する。
【背景技術】
【０００２】
画像読取装置の一例であるドキュメントスキャナーには、原稿を自動で送る給送装置が設けられ、複数枚の原稿の自動送りと読み込みとを行える様に構成される場合がある。尚、このような給送装置は、Ａｕｔｏ  Ｄｏｃｕｍｅｎｔ  Ｆｅｅｄｅｒ、略してＡＤＦとも呼ばれることがある。  
このような構成の画像読取装置において、例えば特許文献１のように、原稿の搬送経路を挟んで二つの読み取り手段が対向して配置され、一度の原稿の搬送で両面を読み取り可能に構成されるものがある。
【０００３】
また画像読取装置では、例えばパスポートや通帳のような冊子体を読み取りたいといったユーザーのニーズがある。冊子体を開いてそのまま給送装置で送ると、給送装置が重なったページを分離して一枚ずつ送ろうとしてしまうため、特許文献１に記載の画像読取装置では、読み取るページを開いた状態の冊子体を透明なシートホルダーに入れて、給送装置で送るように構成されている。
【０００４】
搬送経路を挟んで設けられる二つの読み取り手段としての第１の読み取り手段と第２の読み取り手段とを備える場合、一例として第１の読み取り手段が固定され、第２の読み取り手段が第１の読み取り手段に対して押圧されるとともに、第１の読み取り手段に対して進退する方向に変位可能に設けられることがある。このように構成されることにより、原稿の厚みに応じて第２の読み取り手段が第１の読み取り手段に対して進退するので、原稿を第１の読み取り手段と第２の読み取り手段との双方に密着させることができ、良好な読み取り画質を得ることができる。
【先行技術文献】
【特許文献】
【０００５】
【特許文献１】特開２０１７−９５２２８号公報
【発明の概要】
【発明が解決しようとする課題】
【０００６】
シートホルダーに入れた冊子体の読み取りは、通常、見開き面を読み取る片面読み取りであり、第１の読み取り手段及び第２の読み取り手段のいずれか一方によって見開き面が読み取られる。しかし、冊子体は厚い上に、開いたページによっては搬送方向における厚みが均一ではない場合があるので、変位可能な第２の読み取り手段は冊子体の読み取り中に変位する虞がある。このため、シートホルダーに入れた冊子体の読み取りは、固定された第１の読み取り手段で行った方が読み取り画質が安定する。  
しかし、ユーザーが、シートホルダーに入れた冊子体を、読み取り面を第２の読み取り手段に向けてセットしてしまう場合がある。
【課題を解決するための手段】
【０００７】
上記課題を解決する為の画像読取装置は、媒体が載置される媒体載置部から媒体が搬送される搬送経路に媒体を送り出す給送手段と、前記給送手段に対して媒体搬送方向の下流に設けられ、媒体を搬送する搬送手段と、前記搬送手段に対して前記媒体搬送方向の下流に設けられ、前記搬送経路に対する位置が固定されて前記搬送経路を搬送される媒体を読み取る第１読取手段と、前記搬送経路を挟んで前記第１読取手段と対向して設けられ、前記第１読取手段に対して進退する方向に変位可能に構成されて前記搬送経路を搬送される媒体を読み取る第２読取手段と、冊子体が挟まれたシートホルダーの表裏を特定する為に前記シートホルダーに設けられた特定部を検出する検出手段と、前記検出手段の検出情報に基づいて、前記シートホルダーにおける読み取り面が前記第１読取手段と対向しているか否かを判定し、前記判定に基づいた処理を行う表裏判定処理モードを実行する制御手段と、を備える、ことを特徴とする。
【図面の簡単な説明】
【０００８】
【図１】第１実施形態に係るスキャナーの外観斜視図。
【図２】排出トレイ及び給送トレイが展開状態にされたスキャナーの外観斜視図。
【図３】図２に示すスキャナーの状態から、補助排出トレイ及び補助給送トレイが引き出された状態のスキャナーの外観斜視図。
【図４】スキャナーにおける搬送経路を表す側断面図。
【図５】スキャナーにおける搬送経路の要部を表す概略平面図。
【図６】冊子体が挟まれたシートホルダーの斜視図。
【図７】冊子体が挟まれたシートホルダーの側面図。
【図８】検出手段の検出情報に基づくシートホルダーの表裏の判定について説明する図であり、シートホルダーの表シートが第１読取手段に対向している状態を示す図。
【図９】検出手段の検出情報に基づくシートホルダーの表裏の判定について説明する図であり、シートホルダーの裏シートが第１読取手段に対向している状態を示す図。
【図１０】表裏判定処理モードについて説明するためのフローチャート。
【図１１】シートホルダーの変更例を示す平面図。
【発明を実施するための形態】
【０００９】
以下、本発明について概略的に説明する。  
第１の態様に係る画像読取装置は、媒体が載置される媒体載置部から媒体が搬送される搬送経路に媒体を送り出す給送手段と、前記給送手段に対して媒体搬送方向の下流に設けられ、媒体を搬送する搬送手段と、前記搬送手段に対して前記媒体搬送方向の下流に設けられ、前記搬送経路に対する位置が固定されて前記搬送経路を搬送される媒体を読み取る第１読取手段と、前記搬送経路を挟んで前記第１読取手段と対向して設けられ、前記第１読取手段に対して進退する方向に変位可能に構成されて前記搬送経路を搬送される媒体を読み取る第２読取手段と、冊子体が挟まれたシートホルダーの表裏を特定する為に前記シートホルダーに設けられた特定部を検出する検出手段と、前記検出手段の検出情報に基づいて、前記シートホルダーにおける読み取り面が前記第１読取手段と対向しているか否かを判定し、前記判定に基づいた処理を行う表裏判定処理モードを実行する制御手段と、を備える、ことを特徴とする。
【００１０】
本態様によれば、冊子体が挟まれたシートホルダーの表裏を特定する特定部を検出する検出手段と、前記検出手段の検出情報に基づいて、前記シートホルダーにおける読み取り面が前記第１読取手段と対向しているか否かを判定し、前記判定に基づいた処理を行う表裏判定処理モードを実行する制御手段と、を備えるので、前記シートホルダーの表裏に応じて適切な処理を行うことで、良好な読み取り結果を得ることができる。
【００１１】
第２の態様は、第１の態様において、前記表裏判定処理モードにおいて前記制御手段は、前記読み取り面が前記第１読取手段と対向している場合に前記第１読取手段による読み取りを実行し、前記読み取り面が前記第１読取手段と対向していない場合に異常処理を行う、ことを特徴とする。
【００１２】
本態様によれば、前記表裏判定処理モードにおいて前記制御手段は、前記読み取り面が前記第１読取手段と対向している場合に前記第１読取手段による読み取りを実行し、前記読み取り面が前記第１読取手段と対向していない場合に異常処理を行うので、冊子体が変位可能な第２読取手段で読み取られる向きで前記シートホルダーがセットされたことをユーザーに気づかせることができる。
【００１３】
第３の態様は、第１の態様または第２の態様において、前記制御手段は、媒体を前記給送手段によって前記搬送経路に送り出した後、前記搬送手段による媒体の搬送が開始したら前記給送手段の駆動を停止する第１搬送モードと、媒体を前記給送手段によって前記搬送経路に送り出した後、前記搬送手段による媒体の搬送の開始後に前記給送手段の駆動を所定期間継続する第２搬送モードと、を備え、前記第２搬送モードを実行する場合に前記表裏判定処理モードを行う、ことを特徴とする。
【００１４】
前記第１搬送モードは、前記媒体載置部に複数枚の媒体が載置されて、複数枚の媒体を一枚ずつ分離しつつ給送する際に、媒体を好適に分離して搬送することができる搬送モードである。また、前記第２搬送モードは、前記シートホルダーのように厚みがある媒体に対して、前記搬送手段による搬送を前記給送手段の駆動でアシストすることができる搬送モードである。従って前記第２搬送モードにより、前記シートホルダーを適切に下流に搬送することができる。
【００１５】
第４の態様は、第３の態様において、前記搬送手段は、駆動源によって駆動される駆動ローラーと、前記駆動ローラーの回転に従動回転する従動ローラーと、前記従動ローラーが前記駆動ローラーに向けて押圧される荷重である搬送時荷重を調整する搬送時荷重調整手段と、を備え、前記搬送時荷重調整手段を制御する前記制御手段は、前記表裏判定処理モードにおいて、前記読み取り面が前記第１読取手段と対向していると判定された場合に、前記搬送時荷重を、前記第１搬送モードを実行する場合における前記搬送時荷重よりも小さくする、ことを特徴とする。
【００１６】
本態様によれば、前記搬送時荷重調整手段を制御する前記制御手段は、前記表裏判定処理モードにおいて、前記読み取り面が前記第１読取手段と対向していると判断された場合に、前記搬送時荷重を、前記第１搬送モードを実行する場合における前記搬送時荷重よりも小さくするので、前記シートホルダーが前記駆動ローラーと前記従動ローラーとの間に入り易くなり、前記搬送手段による前記シートホルダーの搬送を適切に行うことができる。
【００１７】
第５の態様は、第４の態様において、前記制御手段は、前記搬送時荷重を、前記第１搬送モードを実行する場合における前記搬送時荷重よりも小さくした後、所定時間後に大きくする、ことを特徴とする。
【００１８】
前記制御手段は、前記搬送時荷重を、前記第１搬送モードを実行する場合における前記搬送時荷重よりも小さくした後、所定時間後に大きくするので、前記搬送時荷重を小さくして前記駆動ローラーと前記従動ローラーとの間に前記シートホルダーをニップさせた後は、前記搬送手段による搬送力を高めることができる。
【００１９】
第６の態様は、第３の態様から第５の態様のいずれかにおいて、前記給送手段は、媒体を給送する給送ローラーと、前記給送ローラーと接触して前記給送ローラーとの間で媒体を分離する分離ローラーと、前記分離ローラーが前記給送ローラーに向けて押圧される荷重である分離荷重を調整する分離荷重調整手段と、を備え、前記分離荷重調整手段を制御する前記制御手段は、前記表裏判定処理モードにおいて、前記読み取り面が前記第１読取手段と対向していると判定された場合に、前記分離荷重を、前記第１搬送モードを実行する場合における前記分離荷重よりも大きくする、ことを特徴とする。
【００２０】
本態様によれば、前記分離荷重調整手段を制御する前記制御手段は、前記表裏判定処理モードにおいて、前記読み取り面が前記第１読取手段と対向していると判定された場合に、前記分離荷重を、前記第１搬送モードを実行する場合における前記分離荷重よりも大きくするので、正しい向き、すなわち第１読取手段に読み取り面が対向する前記シートホルダーを搬送する際に、前記搬送手段による搬送を前記給送手段の駆動でアシストする効果を高めることができる。
【００２１】
第７の態様は、第１の態様から第６の態様のいずれかにおいて、前記第２読取手段を前記第１読取手段にして進退する方向に変位させる読取部変位手段を備え、前記読取部変位手段を制御する前記制御手段は、前記表裏判定処理モードにおいて、前記読み取り面が前記第１読取手段と対向していると判定された場合に、前記第２読取手段を前記第１読取手段から離れる方向に変位させる、ことを特徴とする。
【００２２】
本態様によれば、前記第２読取手段を前記第１読取手段にして進退する方向に変位させる読取部変位手段を備え、前記読取部変位手段を制御する前記制御手段は、前記表裏判定処理モードにおいて、前記読み取り面が前記第１読取手段と対向していると判定された場合に、前記第２読取手段を前記第１読取手段から離れる方向に変位させるので、正しい向き、すなわち第１読取手段に読み取り面が対向する前記シートホルダーが、前記第１読取手段と前記第２読取手段との間に入り易い構成とすることができる。また、前記シートホルダーが、前記第１読取手段と前記第２読取手段との間に入る際に発生する音や摺れを抑制できる。
【００２３】
第８の態様は、第１の態様から第７の態様のいずれかにおいて、前記検出手段は、前記媒体搬送方向において、前記給送手段と前記搬送手段との間であって、前記媒体搬送方向と交差する幅方向の位置が異なる第１検出部と第２検出部とを備え、前記特定部として前記シートホルダーの前記幅方向の中央に対して非対称に形成された先端部を、前記第１検出部と前記第２検出部とで検出する、ことを特徴とする。
【００２４】
本態様によれば、前記検出手段は、前記媒体搬送方向において、前記給送部と前記搬送部との間であって、前記媒体搬送方向と交差する幅方向の位置が異なる第１検出部と第２検出部とを備え、前記特定部として前記シートホルダーの前記幅方向の中央に対して非対称に形成された先端部を、前記第１検出部と前記第２検出部とで検出するので、容易な構成で、前記シートホルダーにおける読み取り面が前記第１読取手段と対向しているか否かを判定することができる。
【００２５】
第９の態様は、第１の態様から第７の態様のいずれかにおいて、前記検出手段は、前記特定部として前記シートホルダーに設けられたマークを検出する、ことを特徴とする。
【００２６】
本態様によれば、前記検出手段は、前記特定部として前記シートホルダーに設けられたマークを検出するので、容易な構成で、前記シートホルダーにおける読み取り面が前記第１読取手段と対向しているか否かを判定することができる。
【００２７】
［第１実施形態］
まず、本発明の一実施形態に係る画像読取装置の概略について、図を参照しつつ説明する。本実施形態では画像読取装置の一例として、媒体の表面及び裏面の少なくとも一面を読み取り可能なスキャナー１を例に挙げる。スキャナー１は、書類等の原稿を読み取る、所謂ドキュメントスキャナーである。
【００２８】
各図において示すＸ−Ｙ−Ｚ座標系は、Ｘ方向が装置幅方向であり、Ｙ方向が装置奥行方向である。Ｚ方向は高さ方向を示している。また、＋Ｙ方向を装置前方とし、−Ｙ方向を装置後方とする。また、装置前方から見て左方向を＋Ｘ方向、右方向を−Ｘ方向とする。また、＋Ｚ方向を装置上方とし、−Ｚ方向側を装置下方とする。また、媒体としての原稿Ｐ（図４を参照）が給送されていく方向を「下流」といい、これと反対の方向を「上流」という。
【００２９】
＜スキャナーの概要＞
以下、図１から図４を参照して、本発明に係るスキャナー１について説明する。  
図１に示すスキャナー１は、原稿Ｐを読み取る読取部５（図４を参照）としての第１読取手段５ａと、第２読取手段５ｂと、を内部に備える筐体２を備えている。また、図４に示されるように、筐体２の内部には、給送手段１３と搬送手段１６が設けられている。図４において、第１読取手段５ａは、搬送経路Ｒを搬送される原稿Ｐの下面を読み取り、第２読取手段５ｂは、搬送経路Ｒを搬送される原稿Ｐの上面を読み取るように配置されている。
【００３０】
筐体２は、図１に示されるように筐体２の下側部分を構成する下部ユニット３と、筐体２の上側部分を構成する上部ユニット４と、によって構成されている。  
上部ユニット４は、図４に示す回動軸４ａに対して回動し、図４において実線で示すように下部ユニット３を覆う閉状態と、図４において二点鎖線で示すように下部ユニット３を開放する開状態と、を切り換え可能に構成されている。上部ユニット４を開状態とすることにより搬送経路Ｒを露呈させ、筐体２内部のメンテナンスを行うことができる。尚、スキャナー１における搬送経路Ｒについては、スキャナー１の概要について説明した後に詳しく説明する。
【００３１】
筐体２は、図１から図４の各図に示されるように支持部材１９に支持されている。  
図２に示されるように、筐体２の後方上部には、図４に示される搬送経路Ｒへの原稿Ｐの供給口である供給部６と、供給部６から供給する原稿Ｐが載置される媒体載置部としての給送トレイ８が設けられている。給送トレイ８には、原稿Ｐとして、単票紙を複数枚重ねて束にして載置することができる。給送トレイ８には、原稿Ｐとして、パスポートや通帳のような冊子体Ｇ（図６及び図７を参照）をシートホルダー４０に入れてセットすることができる。  
給送トレイ８は、図４に示される回動軸８ａを中心として筐体２に対して回動可能に設けられている。
【００３２】
また、筐体２の前方下部には、読取部５による読み取り後の原稿Ｐを排出する排出口である排出部１８と、排出部１８から排出される原稿Ｐを受ける排出トレイ２０が設けられている。排出トレイ２０は、図４に示される回動軸２０ａを中心として筐体２に対して回動可能に設けられている。
【００３３】
スキャナー１は、図１に示されるように、給送トレイ８及び排出トレイ２０の双方が筐体２の一部を覆う収納状態と、図２に示されるように、給送トレイ８及び排出トレイ２０の双方に原稿Ｐを載置可能な展開状態と、を切り換え可能に構成されている。スキャナー１の非使用時には、給送トレイ８及び排出トレイ２０を収納状態とすることで筐体２のカバーとして利用しつつ、装置をコンパクト化することができる。
【００３４】
給送トレイ８には、図２に示されるように、原稿Ｐの媒体搬送方向と交差する幅方向（Ｘ軸方向）の側縁をガイドするエッジガイド１２ａ、１２ｂが設けられている。  
エッジガイド１２ａ、１２ｂは、原稿Ｐのサイズに応じてＸ軸方向にスライド移動可能に設けられている。本実施形態において、エッジガイド１２ａ、１２ｂは、公知のラックピニオン機構により＋Ｘ側のエッジガイド１２ａのＸ移動に追従して、−Ｘ側のエッジガイド１２ｂが相対する方向に移動するように構成されている。  
給送トレイ８において原稿Ｐは幅方向の中央に揃えられ、図５に示されるように装置幅方向の中央領域に設けられる後述の給送ローラー１４により、所謂、センター給紙方式で給紙されるように構成されている。
【００３５】
また、給送トレイ８は、図３に示されるように給送トレイ８から引き出した状態と、図２に示されるように給送トレイ８内に収納された状態と、を切り換え可能な補助給送トレイ９を備えている。補助給送トレイ９は、第１補助給送トレイ９ａ、第２補助給送トレイ９ｂ、第３補助給送トレイ９ｃの３段のトレイによって構成されている。補助給送トレイ９を、図３のように引き出した状態とすることにより、給送トレイ８の長さを延長することができる。尚、スキャナー１を図１に示す収納状態とする場合には、補助給送トレイ９は給送トレイ８内に収納されている。
【００３６】
排出トレイ２０は、図３に示されるように、排出部１８から排出される原稿Ｐを受ける第１トレイ２１と、第１トレイ２１に対して展開且つ収納可能に構成された第２トレイ２２を備えている。また、第２トレイ２２は、第２トレイ２２に対して展開可能且つ収納可能な第３トレイ２３を備えている。更に、第３トレイ２３は、第３トレイ２３に対して展開可能且つ収納可能な第４トレイ２４を備えている。第２トレイ２２、第３トレイ２３、第４トレイ２４により、排出トレイ２０の媒体排出方向長さを更に延長することができる。  
第４トレイ２４の先端には、第４トレイ２４に対して折りたたみ可能に形成され、排出トレイ２０に載置された原稿Ｐの＋Ｙ方向への移動を規制する規制部２５が設けられている。
【００３７】
また、図２及び図３に示されるように、上部ユニット４には、読み取り設定内容等の装置操作に係る内容を表示する操作パネル７が設けられている。操作パネル７は、一例としてタッチパネル式に構成することができ、装置操作に係る内容の表示に加え、各種設定、読み取り実行等の操作を行えるようにすることができる。また、スキャナー１の動作は、図４に示される制御手段１１によって制御される。
【００３８】
＜媒体搬送経路について＞
以下、主として図４を参照して、スキャナー１における搬送経路Ｒについて説明しつつ、スキャナー１の構成について更に詳しく説明する。給送トレイ８から原稿Ｐが供給される搬送経路Ｒには、媒体搬送方向の上流から順に、原稿Ｐが載置される給送トレイ８（媒体載置部）から原稿Ｐが搬送される搬送経路Ｒに媒体を送り出す給送手段１３、給送手段１３に対して媒体搬送方向の下流に設けられ、原稿Ｐを搬送する搬送手段１６、及び読取部５が配置されている。
【００３９】
給送手段１３は、原稿Ｐを給送する給送ローラー１４と、給送ローラー１４と接触して給送ローラー１４との間で原稿Ｐを分離する分離ローラー１５と、を備えている。分離ローラー１５は、図４において給送ローラー１４と対向する位置に設けられている。また、図５に示されるように給送ローラー１４及び分離ローラー１５は、装置幅方向における中央Ｃの両側に対称に配置されている。
【００４０】
給送手段１３において分離ローラー１５は、図４に示されるように、バネ等の第１押圧手段３１により、給送ローラー１４に向けて押圧されている。給送手段１３は、分離ローラー１５が給送ローラー１４に向けて押圧される荷重である分離荷重を調整する分離荷重調整手段３０を備えている。  
分離荷重調整手段３０は、一例としてモーターと、モーターの駆動力を分離ローラー１５の給送ローラー１４に対する進退動作に変換する偏心カムとを用い、偏心カムを第１押圧手段３１の上端に当接させ、偏心カムを回転させて第１押圧手段３１の長さを調整することで行う構成とすることができる。
【００４１】
搬送手段１６は、駆動源により駆動される駆動ローラー１６ａと、駆動ローラー１６ａの回転に従動回転する従動ローラー１６ｂとにより構成されている。図５に示されるように搬送手段１６は、装置幅方向における中央Ｃの両側に対称に配置されている。  
搬送手段１６において従動ローラー１６ｂは、図４に示されるように、バネ等の第２押圧手段３３により、駆動ローラー１６ａに向けて押圧されている。搬送手段１６は、従動ローラー１６ｂが駆動ローラー１６ａに向けて押圧される荷重である搬送時荷重を調整する搬送時荷重調整手段３２を備えている。  
搬送時荷重調整手段３２は、一例として、上述した分離荷重調整手段３０と同様な構成、即ちモーターと偏心カムとを用い、偏心カムを第２押圧手段３３の上端に当接させ、偏心カムを回転させて第２押圧手段３３の長さを調整することで行うことができる。
【００４２】
読取部５については、後で説明する。読取部５の媒体搬送方向の下流には、排出ローラー対１７が設けられている。排出ローラー対１７は、筐体２から読取部５による読み取り後の原稿Ｐを排出する排出手段であり、駆動源により駆動される排出駆動ローラー１７ａと排出従動ローラー１７ｂとにより構成されている。図５に示されるように排出ローラー対１７は、装置幅方向における中央Ｃの両側に対称に配置されている。
【００４３】
給送ローラー１４、駆動ローラー１６ａ、及び排出駆動ローラー１７ａは、下部ユニット３に対して回転可能に設けられている。また、給送ローラー１４と対向する位置に設けられる分離ローラー１５、従動ローラー１６ｂ、及び排出従動ローラー１７ｂは、上部ユニット４に対して回転可能に設けられている。
【００４４】
給送トレイ８に載置された原稿Ｐは、給送ローラー１４によりピックアップされ、給送ローラー１４と分離ローラー１５との間で一枚に分離されてから搬送手段１６に向けて送られる。具体的には、原稿Ｐの給送トレイ８に対向する面、すなわち下面に、給送ローラー１４が接触しつつ回転することにより、原稿Ｐを下流に向けて給送する。したがって、スキャナー１において複数枚の原稿Ｐを給送トレイ８にセットした場合には、下側の原稿Ｐから順に下流に向けて給送される。
【００４５】
給送手段１３によって給送された原稿Ｐは、搬送手段１６によって読取部５に向けて搬送される。  
読取部５は、搬送手段１６に対して媒体搬送方向の下流に設けられ、搬送経路Ｒに対する位置が固定されて搬送経路Ｒを搬送される原稿Ｐを読み取る第１読取手段５ａと、搬送経路Ｒを挟んで第１読取手段５ａと対向して設けられ、搬送経路Ｒを搬送される原稿Ｐを読み取る第２読取手段５ｂと、を備えている。  
第１読取手段５ａ及び第２読取手段５ｂは、一例として密着型イメージセンサーモジュール（ＣＩＳＭ）として構成されている。
【００４６】
第１読取手段５ａは、下部ユニット３に固定して設けられている。第２読取手段５ｂは、上部ユニット４に設けられ、第１読取手段５ａに対して進退する方向に変位可能に構成されている。第１読取手段５ａ及び第２読取手段５ｂは、図５に示すように、装置幅方向（Ｘ軸方向）に長い形状に形成されている。第１読取手段５ａには、図４に示すように、バネ等の第３押圧手段３５が設けられている。第２読取手段５ｂには、第２読取手段５ｂを第１読取手段５ａにして進退する方向に変位させる読取部変位手段３４が設けられている。  
読取部変位手段３４は、分離荷重調整手段３０や搬送時荷重調整手段３２と同様、一例としてモーターと偏心カムとを用い、偏心カムを第３押圧手段３５の上端に当接させ、偏心カムを回転させて第３押圧手段３５の長さを調整することで行うことができる。
【００４７】
第１読取手段５ａは、原稿Ｐにおいて下側を向く面を読み取り、第２読取手段５ｂはその反対面、原稿Ｐにおいてつまり上側を向く面を読み取る。  
原稿Ｐは、少なくとも一方の面を読取部５において読み取られた後、読取部５の下流に位置する排出ローラー対１７にニップされて排出部１８から排出される。
【００４８】
尚、本実施形態において給送ローラー１４、分離ローラー１５、駆動ローラー１６ａ、及び排出駆動ローラー１７ａは、不図示の駆動源によって回転駆動される。これらのローラーは、すべて同じ駆動源により駆動する構成の他、二以上の駆動源により駆動する構成とすることができる。  
本実施形態においては、一例として、分離ローラー１５、駆動ローラー１６ａ、及び排出駆動ローラー１７ａが共通の駆動源により駆動され、給送ローラー１４が別の駆動源により駆動されるように構成されている。
【００４９】
また、図２に示す搬送経路Ｒには、原稿Ｐを検出する媒体検出部が複数設けられている。  
給送手段１３の上流であって給送トレイ８における原稿Ｐの載置領域内には、給送トレイ８に載置される原稿Ｐの有無を検出する第１媒体検出部２６が設けられている。また、給送手段１３の下流と、搬送手段１６の下流と、排出ローラー対１７の下流側には、順に、第２媒体検出部２７、第３媒体検出部２８、及び第４媒体検出部２９が設けられている。第２媒体検出部２７と第３媒体検出部２８、及び第４媒体検出部２９によって、媒体給送方向における原稿Ｐの位置を検出することができる。  
尚、図示を省略するが、搬送手段１６の上流には、複数枚の原稿Ｐが重なって搬送される重送を検出する重送検出部を設けることもできる。
【００５０】
第１媒体検出部２６、第２媒体検出部２７、第３媒体検出部２８、及び第４媒体検出部２９としては、一例として、光を発する発光部と、発光部から発せられた光の反射光を受光する受光部を備える光センサーを用いることができる。また、光センサーの他、超音波を発する発信部と、搬送される用紙を挟んで発信部と対向して設けられる受信部とを備える超音波式センサーを用いることも可能である。また、搬送される用紙の接触によって動かされる機械式レバーの変位を、光学式或いは電気接触式で検出するレバー式センサーを用いることもできる。重送検出部としては、前述した超音波式センサーを用いることができる。
【００５１】
本実施形態において、第２媒体検出部２７は、後述する冊子体Ｇが挟まれたシートホルダー４０（図６を参照）の表裏を特定する為にシートホルダー４０に設けられた特定部としての先端部４３を検出する検出手段として用いられる。第２媒体検出部２７によるシートホルダー４０の表裏を特定については、シートホルダー４０の構成について説明する際に詳述する。
【００５２】
スキャナー１において、分離荷重調整手段３０を含む給送手段１３の動作、搬送時荷重調整手段３２を含む搬送手段１６の動作、排出ローラー対１７の動作、読取部変位手段３４を含む読取部５の動作の他、画像読み取りに係る動作は、制御手段１１によって制御される。
【００５３】
＜冊子体用のシートホルダーについて＞
前述したように、スキャナー１は、図６及び図７に示されるシートホルダー４０に挟んでパスポートや通帳等の冊子体Ｇを読取部５に向けて搬送することができる。  
シートホルダー４０は、表シート４１と裏シート４２との間に冊子体Ｇを挟むことができるように構成されている。表シート４１及び裏シート４２は、冊子体Ｇを収容する領域の端部４０ａが閉じられ、端部４０ｂが開かれている。  
シートホルダー４０は、端部４０ｂを閉じた形状とすることもできるが、本実施形態においては、端部４０ｂが開かれていることで、シートホルダー４０に対して冊子体Ｇを挿抜することが容易になっている。
【００５４】
表シート４１は、無色透明の樹脂材料で形成されている。裏シート４２と後述する先端部４３は、一例として白色不透明の樹脂材料で形成されている。尚、裏シート４２は無色透明でも良い。冊子体Ｇは、読み取り面を表シート４１に向けてシートホルダー４０に挿入される。無色透明の表シート４１を介して見える読み取り面を読取部５が読み取ることができる。シートホルダー４０に入れた冊子体Ｇを読み取る場合、搬送経路Ｒに対する位置が変位する第２読取手段５ｂで読み取るよりも、搬送経路Ｒに対する位置が固定された第１読取手段５ａで読み取る方が、読み取り画質の安定性の観点から好ましい。したがって、シートホルダー４０は、表シート４１が第１読取手段５ａに対向するように、図７に示されるように、表シート４１を下に向けた状態で、端部４０ａを媒体搬送方向の下流に向けて給送トレイ８に載置される。
【００５５】
端部４０ａには、シートホルダー４０の裏表を特定する特定部として、図６に示されるようにシートホルダー４０の幅方向の中央に対して非対称に形成された先端部４３が設けられている。より具体的には、先端部４３は、端部４０ａからの長さがＬ１の第１部位４４と、端部４０ａからの長さがＬ１よりも短いＬ２の第２部位４５と、を備えている。
【００５６】
スキャナー１においては、前述した第２媒体検出部２７（図５を参照）を検出手段として用いて先端部４３を検出し、制御手段１１が、第２媒体検出部２７による検出情報に基づいてシートホルダー４０の裏表を特定することができる。  
以下、図８及び図９を参照して、第２媒体検出部２７による検出情報に基づくシートホルダー４０の表裏の特定について説明する。
【００５７】
第２媒体検出部２７（検出手段）は、図５に示されるように、媒体搬送方向において、給送手段１３と搬送手段１６との間であって、媒体搬送方向と交差する幅方向の位置が異なる第１検出部２７ａと第２検出部２７ｂとを備えている。  
第２媒体検出部２７は、先端部４３を、第１検出部２７ａと第２検出部２７ｂとで検出する。本実施形態において、第１検出部２７ａと第２検出部２７ｂとは、幅方向の中央Ｃに対して対称に配置されている。
【００５８】
シートホルダー４０が、図７に示されるように表シート４１が第１読取手段５ａと対向するようにセットされた場合、すなわち、表シート４１が下を向き、裏シート４２が上を向く状態の場合、図８に示されるように、媒体搬送方向を下にした状態での平面視で、先端部４３の第１部位４４が＋Ｘ方向に位置し、第２部位４５が−Ｘ方向に位置する。シートホルダー４０が送られると、端部４０ａからの媒体搬送方向における長さが長い第１部位４４が先に第１検出部２７ａによって検出され、その後、更にシートホルダー４０が長さＬ１と長さＬ２の差分だけ送られた後に、第２部位４５が第２検出部２７ｂによって検出される。このとき、制御手段１１は、表シート４１が下方を向く、すなわち、読み取り面が第１読取手段５ａと対向していると判断することができる。
【００５９】
一方、シートホルダー４０が、表シート４１が第２読取手段５ｂと対向するようにセットされた場合、すなわち、表シート４１が上を向き、裏シート４２が下を向く状態の場合、図９に示されるように、媒体搬送方向を下にした状態での平面視で、先端部４３の第１部位４４が−Ｘ方向に位置し、第２部位４５が＋Ｘ方向に位置する。シートホルダー４０が送られると、端部４０ａからの媒体搬送方向における長さが長い第１部位４４が先に第２検出部２７ｂによって検出され、その後、更にシートホルダー４０が長さＬ１と長さＬ２の差分だけ送られた後に、第２部位４５が第１検出部２７ａによって検出される。このとき、制御手段１１は、表シート４１が上方を向く、すなわち、読み取り面が第２読取手段５ｂと対向していると判断することができる。
【００６０】
尚、第１検出部２７ａと第２検出部２７ｂは、本実施形態では媒体搬送方向の位置が同じであるが、媒体搬送方向の位置が異なるように設けても良い。媒体搬送方向の位置の違いが予め判明していれば、上記の様に、シートホルダー４０の表裏を判別することができる。
【００６１】
以上のように、シートホルダー４０の先端部５３を、第１検出部２７ａと第２検出部２７ｂとで検出することで、容易に冊子体Ｇの読み取り面の向きを判定することができる。つまり、冊子体Ｇの読み取り面が、第１読取手段５ａか第２読取手段５ｂのいずれによって読み取られるかを判定することができる。
【００６２】
尚、本実施形態において、搬送手段１６と読取部５との間に設けられた第３媒体検出部２８も、図５に示されるように、幅方向の位置が異なる二つの検出部２８ａ、２８ｂを備えている。第３媒体検出部２８を、シートホルダー４０の表裏を特定するための検出手段として用いることも可能である。  
尚、第２媒体検出部２７によってシートホルダー４０の表裏を判別する場合、第３媒体検出部２８は、一つの検出部で構成しても良く、その場合、装置幅方向において中央Ｃ（図５参照）に配置しても良い。
【００６３】
また、先端部４３は、図７に示すように側面視で、先細り形状に形成されている。表シート４１と裏シート４２とに挟まれた冊子体Ｇは単票紙よりも厚みがあるため、給送ローラー１４と分離ローラー１５とにニップされ難い。シートホルダー４０に先細り形状の先端部４３が設けられていることで、シートホルダー４０を給送ローラー１４と分離ローラー１５とにニップされ易くすることができる。
【００６４】
＜制御手段による制御について＞
スキャナー１は、前述した第２媒体検出部２７（検出手段）の検出情報に基づいて、シートホルダー４０における読み取り面である表シート４１が第１読取手段５ａと対向しているか否かを判定し、その判定に基づいた処理を行う表裏判定処理モードを実行することができる。表裏判定処理モードを行うことにより、シートホルダー４０の表裏に応じて適切な処理を行い、良好な読み取り結果を得ることができる。以下、図１０に示されるフローチャートに基づいて、表裏判定処理モードの具体例について説明する。
【００６５】
原稿として冊子体Ｇが挟まれたシートホルダー４０が給送されたら、ステップＳ１において、第２媒体検出部２７によってシートホルダー４０の先端部４３を検出する。ステップＳ１における検出情報に基づいて、ステップＳ２において、シートホルダー４０の表シート４１が第１読取手段５ａと対向しているか否かを判定する。第２媒体検出部２７の検出情報に基づくシートホルダー４０の表シート４１が第１読取手段５ａと対向しているか否かの判定は、図８及び図９を用いて先に説明した通りである。
【００６６】
ステップＳ２においてＹＥＳ、すなわち、シートホルダー４０の読み取り面である表シート４１が第１読取手段５ａと対向していると判定された場合、その判定に基づいた処理として、そのまま第１読取手段５ａによる画像読取を実行するステップＳ３を行う。
【００６７】
一方、ステップＳ２においてＮＯ、すなわち、シートホルダー４０の読み取り面である表シート４１が第１読取手段５ａと対向しておらず、裏シート４２が第１読取手段５ａと対向していると判定された場合、異常処理を行うステップＳ４を行う。  
異常処理としては、例えば、読み取り面である表シート４１が対向している第２読取手段５ｂによる読み取りを行わずに停止し、操作パネル７（図２を参照）に警告を表示したり、音や警告ランプの点灯または点滅等により警告信号を出したりすることができる。警告表示や警告信号の後に、読み取りを中止するか、第２読取手段５ｂによる読み取りを続けるかの選択を、操作パネル７で行えるように構成することもできる。
【００６８】
また、異常処理は、第２読取手段５ｂで読み取った後、第２読取手段５ｂで読み取りを行ったことを知らせ、シートホルダー４０をセットし直して再読取りを行うことを促す警告表示や警告信号を出す構成とすることができる。また、異常処理は、第２読取手段５ｂによる読み取りを行わずにシートホルダー４０を排出し、読み取り面の向きが正しくないことを知らせ、シートホルダー４０をセットし直して再読取りを行うことを促す警告表示や警告信号を出す構成とすることができる。
【００６９】
以上のように、表裏判定処理モードにおいて制御手段１１が、位置が固定された第１読取手段５ａと読み取り面とが対向している場合に第１読取手段５ａによる読み取りを実行し、読み取り面が第１読取手段５ａと対向していない場合に異常処理を行うので、読み取り面が変位可能な第２読取手段５ｂで読み取られる向きでシートホルダー４０がセットされたことをユーザーに気づかせることができる。
【００７０】
また、制御手段１１は、原稿Ｐを給送手段１３によって搬送経路Ｒに送り出した後、搬送手段１６による原稿Ｐの搬送が開始したら給送手段１３の駆動を停止する第１搬送モードと、原稿Ｐを給送手段１３によって搬送経路Ｒに送り出した後、搬送手段１６による原稿Ｐの搬送の開始後に給送手段１３の駆動を所定期間継続する第２搬送モードと、を備えている。
【００７１】
第１搬送モードは、原稿Ｐを給送手段１３によって搬送経路Ｒに送り出した後、搬送手段１６による原稿Ｐの搬送が開始したら給送手段１３の駆動を停止して、搬送手段１６のみで原稿Ｐを搬送する。第１搬送モードによる原稿Ｐの搬送を行うことにより、給送トレイ８に複数枚の原稿Ｐが載置されて、原稿Ｐを一枚ずつ分離しつつ給送する際に、原稿Ｐを好適に分離して搬送することができる。
【００７２】
第２搬送モードは、原稿Ｐを給送手段１３によって搬送経路Ｒに送り出した後、搬送手段１６による原稿Ｐの搬送の開始した後も給送手段１３の駆動を所定期間継続するので、シートホルダー４０のように厚みがあるものを原稿Ｐとして搬送する場合に、搬送手段１６による搬送を給送手段１３の駆動でアシストすることができる。特にシートホルダー４０は、冊子体Ｇを収容する領域の端部４０ａ（図７参照）において厚みが急激に増すため、シートホルダー４０の先端部４３が搬送手段１６によってニップされた後、端部４０ａが搬送手段１６に入り込む際に大きな搬送力が必要となるが、上記の様に給送手段１３がシートホルダー４０の搬送をアシストすることで、第２搬送モードにおいてシートホルダー４０を適切に下流に搬送することができる。  
本実施形態において、表裏判定処理モードは、第２搬送モードを実行する場合に行われる。このことにより、第２搬送モードでシートホルダー４０を用いた読み取りを行う際に、表裏判定処理モードを行うことで、シートホルダー４０の表裏に応じた適切な処理を行い、良好な読み取り結果を得ることができる。  
第１搬送モードと第２搬送モードとは、例えば操作パネル７でユーザーが選択することができる。
【００７３】
また、制御手段１１は、表裏判定処理モードにおいて、読み取り面、すなわち表シート４１が第１読取手段５ａと対向していると判定された場合に、図４に示される分離荷重調整手段３０を制御して、給送手段１３における分離荷重を、第１搬送モードを実行する場合における分離荷重よりも大きくするように構成することができる。  
この構成により、表裏判定処理モードで、読み取り面、すなわち表シート４１が第１読取手段５ａと対向していると判定された場合、すなわち、シートホルダー４０が、第１読取手段５ａで読み取り面を読み取ることが可能の向きであると判断された場合に、搬送手段１６による搬送を給送手段１３の駆動でアシストする効果を高めることができる。
【００７４】
尚、本実施形態においては、図６に示されるシートホルダー４０は、端部４０ｂが開放されているが、シートホルダー４０の端部４０ｂが閉じられたシートホルダーを用いる場合には、以下の様な制御を制御手段１１が行う構成とすることができる。  
制御手段１１は、表裏判定処理モードにおいて、読み取り面が第１読取手段５ａと対向していると判定された場合に、分離ローラー１５を原稿Ｐを搬送方向に送る方向、すなわち、図４を平面視して時計回り方向に回転させる。  
このことにより、搬送手段１６による搬送を給送手段１３の駆動でアシストする効果を一層高めることができる。
【００７５】
また、制御手段１１は、表裏判定処理モードにおいて、読み取り面が見える表シート４１が第１読取手段５ａと対向していると判定された場合に、搬送時荷重調整手段３２（図４を参照）を制御して、搬送手段１６における搬送時荷重を第１搬送モードを実行する場合における搬送時荷重よりも小さくするように構成することができる。  
この構成により、表裏判定処理モードで、読み取り面、すなわち表シート４１が第１読取手段５ａと対向していると判定された場合、すなわち、シートホルダー４０が、第１読取手段５ａで読み取り面を読み取ることが可能の向きであると判断された場合に、シートホルダー４０が、図４に示される駆動ローラー１６ａと従動ローラー１６ｂとの間に入り易くなる。以って、搬送手段１６によるシートホルダー４０の搬送を適切に行うことができる。
【００７６】
また、制御手段１１は、搬送時荷重を、第１搬送モードを実行する場合における搬送時荷重よりも小さくした後、所定時間後に大きくするように構成すると良い。搬送時荷重が小さくなると、すなわち、駆動ローラー１６ａと従動ローラー１６ｂとの間のニップ圧が低くなると、駆動ローラー１６ａと従動ローラー１６ｂとの間にシートホルダー４０が入り易くなるが、搬送手段１６による搬送力が不足する場合がある。  
制御手段１１が、搬送手段１６の搬送時荷重を一旦小さくした後、所定時間後に大きくすることで、搬送時荷重を小さくして駆動ローラー１６ａと従動ローラー１６ｂとの間にシートホルダー４０を容易に進入させることができ、その後、搬送手段１６による搬送力を高めてシートホルダー４０を確実に搬送することができる。
【００７７】
尚、搬送時荷重を小さくした後、再び大きくするまでの所定時間は、搬送時荷重を小さくしたことで、確実に駆動ローラー１６ａと従動ローラー１６ｂとでシートホルダー４０がニップされるような時間が設定される。  
また、増加後の搬送時荷重は、小さくする前の荷重、すなわち、第１搬送モードを実行する場合における搬送時荷重と同じ大きさまで戻してもよく、またこれに満たなくてもよく、第１搬送モードを実行する場合における搬送時荷重を越えてもよい。
【００７８】
また、制御手段１１は、表裏判定処理モードにおいて、読み取り面が第１読取手段５ａと対向していると判定された場合に、図４に示される読取部変位手段３４を制御して、第２読取手段５ｂを第１読取手段５ａから離れる方向に変位させるように構成することができる。  
この構成により、表裏判定処理モードで、読み取り面、すなわち表シート４１が第１読取手段５ａと対向していると判定された場合、すなわち、シートホルダー４０が、第１読取手段５ａで読み取り面を読み取ることが可能の向きであると判断された場合に、第１読取手段５ａと第２読取手段５ｂとの間にシートホルダー４０が進入し易い構成とすることができる。また、シートホルダー４０が、第１読取手段５ａと第２読取手段５ｂとの間に進入する際に発生する音や摺れを抑制できる。
【００７９】
＜シートホルダーの変更例＞
図１１にシートホルダーの変更例であるシートホルダー５０を示す。図１１の左図は、表シート５１が第１読取手段５ａ（図４を参照）に対向するように下を向き、裏シート５２が上を向いた状態を示している。図１１の右図は、裏シート５２が第１読取手段５ａに対向するように下を向き、表シート５１が上を向いた状態を示している。
【００８０】
シートホルダー５０は、シートホルダー４０と同様、無色透明の表シート５１と、白色不透明の裏シート５２との間に冊子体Ｇを挟むことができるように構成されている。表シート５１と裏シート５２は、冊子体Ｇを収容する領域の端部５０ａが閉じられ、反対側の不図示の端部は開かれた状態になっている。端部５０ａには、シートホルダー５０の裏表を特定する特定部としての表マークＭ１と裏マークＭ２が形成された先端部５３が設けられている。
【００８１】
図１１の右図に示されるように、先端部５３において、表シート５１と同じ方を向く表面５３ａには、表マークＭ１として４本のラインが形成されている。図１１の左図に示されるように、先端部５３において、裏シート５２と同じ方を向く裏面５３ｂには、裏マークＭ２として２本のラインが形成されている。マークはラインを用いたパターンに限られず、特定の形状のマークとすることもできる。また、表面５３ａ及び裏面５３ｂの少なくとも一方に凹凸により形成した特定部を設けることもできる。  
シートホルダー５０に設けられた表マークＭ１と裏マークＭ２を検出手段によって検出することで、シートホルダー５０の表裏を判定することができる。シートホルダー５０の表裏を特定するためのマークは、表面５３ａまたは裏面５３ｂのいずれか一方にのみ設けることも可能である。
【００８２】
第２媒体検出部２７が、光を発する発光部と、発光部から発せられた光の反射光を受光する受光部を備える光センサーである場合には、第２媒体検出部２７を特定部としてのマークを検出する検出手段として用いることができる。  
特定部がマークである場合には、読取部５をシートホルダー５０の表裏を特定するためのマークを検出する検出手段として用いることもできる。
【００８３】
以上のように、特定部としてシートホルダー５０に設けられたマークを検出手段で検出する構成とすることにより、容易な構成で、シートホルダー５０における読み取り面が第１読取手段５ａと対向しているか否かを判定することができる。
【００８４】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００８５】
１…スキャナー（画像読取装置）、２…筐体、３…下部ユニット、４…上部ユニット、５…読取部、５ａ…第１読取手段、５ｂ…第２読取手段、６…供給部、７…操作パネル、８…給送トレイ、８ａ…回動軸、９…補助給送トレイ、９ａ…第１補助給送トレイ、９ｂ…第２補助給送トレイ、９ｃ…第３補助給送トレイ、１１…制御手段、１２ａ、１２ｂ…エッジガイド、１３…給送手段、１４…給送ローラー、１５…分離ローラー、１６…搬送手段、１６ａ…駆動ローラー、１６ｂ…従動ローラー、１７…排出ローラー対、１７ａ…排出駆動ローラー、１７ｂ…排出従動ローラー、１８…排出部、１９…支持部材、２０…排出トレイ、２０ａ…回動軸、２１…第１トレイ、２２…第２トレイ、２３…第３トレイ、２４…第４トレイ、２５…規制部、２６…第１媒体検出部、２７…第２媒体検出部（検出手段）、２８…第３媒体検出部、２９…第４媒体検出部、３０…分離荷重調整手段、３１…第１押圧手段、３２…搬送時荷重調整手段、３３…第２押圧手段、３４…読取部変位手段、３５…第３押圧手段、４０…シートホルダー、４１…表シート、４２…裏シート、４３…先端部、４４…第１部位、４５…第２部位、５０…シートホルダー、５１…表シート、５２…裏シート、５３…先端部、Ｐ…原稿、Ｇ…冊子体
【図１】
2020158263.tif 000003
【図２】
2020158263.tif 000004
【図３】
2020158263.tif 000005
【図４】
2020158263.tif 000006
【図５】
2020158263.tif 000007
【図６】
2020158263.tif 000008
【図７】
2020158263.tif 000009
【図８】
2020158263.tif 000010
【図９】
2020158263.tif 000011
【図１０】
2020158263.tif 000012
【図１１】
2020158263.tif 000013